(57)【要約】【課題】カフボックスの操作部がオフの状態であることを使用者等が容易に認識させると共に、マイクからの音声出力が遮断されることによる放送事故の防止と原因を調査する音響担当者の負担を軽減する。【解決手段】フェーダー位置判定部３１は、音声調整装置１のフェーダーがオフになっているか判定する。オンエア判定部３２は、オンエア表示灯２から入力されるオンエア信号のオン・オフの状態を判定する。カフボックス操作判定部３３は、カフボックス操作部３がオフの状態であるか否かを判定する。アラーム信号出力手段３４は、フェーダー位置判定部３１がフェーダーがオンであると判定し、オンエア判定部３２がオンエア表示灯がオンであると判定し、カフボックス操作判定部３３がカフボックスの操作部がオフの状態であると判定した場合、すなわち、３つの状態が整ったときにアラーム信号を出力し、カフボックスの表示灯４を点滅させ使用者に警告する。【選択図】図１
2010011377.tif 000002
【特許請求の範囲】
【請求項１】
音声調整装置に設けられたフェーダーのオン・オフ状態を判定するフェーダー位置判定手段と、
番組の放送中であることを示すオンエア信号のオン・オフ状態を判定するオンエア判定手段と、
カフボックスの操作部がオフか否かを判定するカフボックス操作判定手段と、
前記フェーダー位置判定手段が、前記音声調整装置のフェーダーがオンの状態であると判定し、前記オンエア判定手段が前記オンエア信号がオンの状態であると判定し、前記カフボックス操作判定手段がカフボックスの操作部がオフであると判定した場合に、アラーム信号を出力するアラーム信号出力手段と、
を備えたことを特徴とするカフボックスの操作部上げ忘れ防止装置。
【請求項２】
前記アラーム信号出力手段が、カフボックスの操作部に設けられた表示灯にアラームを表示させるものであることを特徴とする請求項１記載のカフボックスの操作部上げ忘れ防止装置。
【請求項３】
前記アラーム信号出力手段が、アラーム音声を出力するものであることを特徴とする請求項１又は２記載のカフボックスの操作部上げ忘れ防止装置。
【請求項４】
使用者に送り返し音声を出力する送り返し音声出力装置と、
この送り返し音声出力装置からの送り返し音声を受信する送り返し音声受信手段と、
前記送り返し音声受信手段が受信した送り返し音声と、前記アラーム信号出力手段が出力したアラーム音声を組み合わせる音声合成手段と、
を備えたことを特徴とする請求項３記載のカフボックスの操作部上げ忘れ防止装置。
【請求項５】
コンピューターに、
音声調整装置のフェーダーのオン・オフ状態を判定するフェーダー位置判定処理と、
番組の放送中であることを示すオンエア信号のオン・オフ状態を判定するオンエア判定処理と、
前記カフボックスの操作部がオフか否かを判定するカフボックス操作判定処理と、
前記フェーダー位置判定処理において、前記音声調整装置のフェーダーがオンの状態であると判定し、前記オンエア判定処理において前記オンエア信号がオンの状態であると判定し、前記カフボックス操作判定処理においてカフボックスの操作部がオフであると判定した場合に、アラーム信号を出力するアラーム信号出力処理と、
を実行させることを特徴とするカフボックスの操作部上げ忘れ防止用プログラム。
【請求項６】
コンピューターに、
使用者に送り返し音声を出力する送り返し音声出力装置からの送り返し音声を受信する送り返し音声受信処理と、
前記送り返し音声受信処理において受信した送り返し音声と、前記アラーム信号が出力したアラーム音声を組み合わせる音声合成処理と、
を実行させることを特徴とする請求項５記載のカフボックスの操作部上げ忘れ防止用プログラム。
【発明の詳細な説明】
【技術分野】
【０００１】
本発明は、カフボックスの操作部がオフの状態であることを容易に判別することのできるカフボックスの操作部上げ忘れ防止装置、及び防止用プログラムに関する。
【背景技術】
【０００２】
カフボックス（ｃｏｕｇｈ  ｂｏｘ）とは、マイク用の操作箱であり、ＴＶのスタジオや舞台で、ナレーター、司会者、音響担当者（以下、使用者等という）は手元でカフボックスの操作部のオン・オフを切替えることにより、マイクの音声出力のオン・オフを切り換えることができる。このように使用者等がカフボックスの操作部をオフに切り換えマイクの出力をオフとする場合としては、例えばマイクの使用者であるナレーターが咳をする時に雑音が音声として出力されないようにする場合が一般的である。
【０００３】
なお、上述のように放送中に雑音が音声として出力されることを防止、すなわち放送事故を防止するための技術としては、次のようなものがある。特許文献１及び特許文献２記載の技術では、操作子をロックオン状態に設定しておき、操作時にオペレータにまずは操作子をロックオフ状態とする余分な操作動作をさせることで、オペレータに操作子の操作内容を意識させ、保護スイッチの誤作動を防止するようにしている。特許文献３記載の技術では、上述の特許文献１及び特許文献２記載の技術の操作子の操作性が悪いという問題点を改善するために、操作子のロック状態を柔軟且つ俊敏に制御可能にしている。
【特許文献１】特開平９−１３９１３７号公報
【特許文献２】特開平９−１３９１３８号公報
【特許文献３】特開２００７−２８１６８７号公報
【発明の開示】
【発明が解決しようとする課題】
【０００４】
このカフボックスの操作部のオン・オフは、使用者等の手元で行われるため、使用者等がカフボックスの操作部をオフとしたことを忘れたままになっていると、マイクの出力が必要な場合でもマイクから音声が出力されないという問題が発生する。
【０００５】
例えば、ＴＶのスタジオで収録するものとしては、収録放送用と生放送用の２つの種類がある。前者の収録放送用の収録では、仮にカフボックスの操作部がオフになったままの状態で番組がスタートし、番組スタートからマイクの使用者であるナレーターがカフボックスの操作部を上げるまでの所定時間、マイクからの音声出力が遮断されたとしても、後で撮り直しや編集ができるので、大きな問題にはならない。
【０００６】
しかし、後者の生放送用の収録の場合、上述の収録放送用の収録と異なり、撮り直しや編集をすることができない。したがって、仮にカフボックスの操作部がオフの状態のまま番組がスタートした場合には、番組スタートから、マイクの使用者であるナレーターがカフボックスの操作部を上げるまでの所定時間、マイクの音声出力が遮断されることによって、無音状態が生じ放送事故に繋がる。また、カフボックスの操作部がオフの状態のままで番組がスタートし、音声出力が遮断されると、音響担当者は、機器の故障等あらゆる原因を探る必要が生じ、負担が大きい。
【０００７】
本発明は、上記のような従来技術の課題を解決するもので、その目的は、カフボックスの操作部がオフの状態であることを使用者等が容易に認識することができる利便性の高いカフボックスの操作部上げ忘れ防止装置及び防止用プログラムを提供することにある。また、他の目的は、カフボックスの操作部がオフの場合には使用者等に警告することによって、マイクからの音声出力が遮断されることによる放送事故の防止と、マイクからの音声出力が遮断される原因の調査に関する音響担当者の負担を軽減することにある。
【課題を解決するための手段】
【０００８】
上記の目的を達成するため、本発明のカフボックスの操作部上げ忘れ防止装置は、音声調整装置に設けられたフェーダーのオン・オフ状態を判定するフェーダー位置判定手段と、番組の放送中であることを示すオンエア信号のオン・オフ状態を判定するオンエア判定手段と、カフボックスの操作部がオフか否かを判定するカフボックス操作判定手段と、前記フェーダー位置判定手段が、前記音声調整装置のフェーダーがオンの状態であると判定し、前記オンエア判定手段が前記オンエア信号がオンの状態であると判定し、前記カフボックス操作判定手段がカフボックスの操作部がオフであると判定した場合に、アラーム信号を出力するアラーム信号出力手段と、を備えたことを特徴とする。
【０００９】
このような構成を有する本発明では、例えば、音声調整装置に設けられたフェーダーがオンの場合であっても、番組放送中であることを示すオンエア信号がオンでなければ、アラーム信号出力手段が、アラーム信号を出力しないため、アラーム信号出力手段が、アラーム信号を出力し使用者に警告を行うことを番組が放送中である場合に限定することができる。また、カフボックスの操作部がオフの時に限定するため、音声が遮断される放送事故に繋がる場合に限定して、アラーム信号出力手段により、アラーム信号を出力することができる。
【００１０】
本発明において、前記アラーム信号出力手段が、カフボックスの操作部に設けられた表示灯を表示させることもできる。このような構成とした場合には、視覚的にカフボックスの上げ忘れを使用者等に警告することができるため、使用者等は、カフボックスの操作部の上げ忘れに容易に気づくことができ、更にカフボックスの操作部の上げ忘れ自体も防止できる。
【００１１】
本発明において、前記アラーム信号出力手段が、アラーム音声を出力することもできる。このような構成とした場合には、聴覚的にカフボックスの上げ忘れを使用者等に警告することができるため、使用者等は、カフボックスの操作部の上げ忘れに容易に気づくことができ、更にカフボックスの操作部の上げ忘れも防止できる。
【００１２】
本発明において、使用者に送り返し音声を出力する送り返し音声出力装置と、この送り返し音声出力装置からの送り返し音声を受信する送り返し音声受信手段と、前記送り返し音声受信手段が受信した送り返し音声と、前記アラーム信号出力手段が出力したアラーム音声を組み合わせることもできる。このような構成とした場合には、副調調整室からの送り返し音声にアラーム音声を組み合わせ、聴覚的に使用者等に警告を行うことができるため、使用者等は、カフボックスの操作部の上げ忘れに容易に気づくことができ、更にカフボックスの操作部の上げ忘れ自体も防止できる。
【００１３】
また、コンピュータ上に前記カフボックスの操作部上げ忘れ防止装置を実現するプログラムも、本発明の一態様である。
【発明の効果】
【００１４】
以上のように本発明によれば、カフボックスの操作部がオフの状態であることを使用者等が容易に認識することができる。また、カフボックスの操作部がオフの場合には使用者等に警告することによって、マイクからの音声出力が遮断されることによる放送事故の防止と、音響担当者の原因を調査する負担を軽減することができる。
【発明を実施するための最良の形態】
【００１５】
次に、本発明を実施するための実施形態について、図面を参照して説明する。
［１．第１実施形態］
［１−１．構成］
本実施形態は、カフボックスの操作部上げ忘れ防止装置（以下「本装置」と呼ぶ）を説明するものである。本装置の構成を図１に示す。
【００１６】
図中１は、フェーダーを有する音声調整装置である。２は、番組放送中を示す表示灯（以下、オンエア表示灯という）である。３は、カフボックスの操作部であり、上述の通り、例えば、使用者等はこの操作部をオフ（カフボックスの操作部を下げた状態のこと、逆にカフボックスの操作部が上がった状態であることは以下オンという）にすることでマイクをオフとして、咳などの流すことが望ましくない音声がマイクから出力されるのを遮断する。４は、カフボックスに設けられた上げ忘れ警告用の表示灯である。
【００１７】
３１は、音声調整装置１のフェーダーがオンになっているか、すなわち音声調整の対象となるマイクがオンになっているかを判定するフェーダー位置判定部である。３２は、オンエア表示灯２から入力されるオンエア信号のオン・オフの状態を判定するオンエア判定部である。なお、オンエア信号がオンの状態（オンエア表示灯２が点灯）であるということは、番組が放送中であることを示す。３３は、カフボックス操作部３がオフの状態であるか否かを判定するカフボックス操作判定部である。
【００１８】
３７は、フェーダー位置判定部３１の判定の結果、音声調整装置１のフェーダーがオンの状態であり、オンエア判定部３２の判定の結果、オンエア表示灯２から入力されるオンエア信号がオンの状態であり、更にカフボックス操作判定部３３のカフボックスの操作部３のオフ・オフ状態を判定の結果、カフボックスの操作部３がオフの状態である場合、アラーム信号出力部３４に、アラーム信号を出力させる旨出力する出力判定部である。
【００１９】
また出力判定部３７は、フェーダー位置判定部３１の判定の結果、フェーダがオフである場合や、オンエア判定部３２の判定の結果、オンエア表示灯２から入力されるオンエア信号がオフである場合や、カフボックス操作判定部３３の判定の結果、カフボックスの操作部３がオンである場合に、カフボックスの表示灯４が点滅しているか否かの判定、すなわち、アラーム信号出力手段３４がアラーム信号をカフボックスの表示灯４に出力しているか否かの判定も行う。そして、判定の結果、カフボックスの表示灯４が点滅している場合には、出力判定部３７は、アラーム信号出力部３４がアラーム信号をカフボックスの表示灯４に出力することを中止させ、カフボックスの表示灯４の点滅を中止させる。
【００２０】
なお、出力判定部３７は、フェーダー位置判定部３１の判定の結果、フェーダがオフである場合や、オンエア判定部３２の判定の結果、オンエア表示灯２から入力されるオンエア信号がオフである場合や、カフボックス操作判定部３３の判定の結果、カフボックスの操作部３がオンである場合に、アラーム信号出力部３４がアラーム信号をカフボックスの表示灯４に出力することを強制的に中止させ、カフボックスの表示灯４の点滅を中止させることもできる。
【００２１】
３４は、フェーダーがオンであるとフェーダー位置判定部３１が判定した場合であって、オンエア表示灯２から入力されるオンエア信号がオンであるとオンエア判定部３２が判定した場合であって、更に、カフボックスの操作部３がオフの状態であるとカフボックス操作判定部３３が判定した場合に、出力判定部３７の要求によって、カフボックスの表示灯４を点滅させるためのアラーム信号を出力するアラーム信号出力部である。
【００２２】
［１−２．作用］
以下、本実施形態の処理について、図２のフローチャートを参照して説明する。まず、フェーダー位置判定部３１が、音声調整装置１のフェーダーがオンであるか判定する（ステップ１）。フェーダー位置判定部３１の判定の結果、音声調整装置１のフェーダーがオンである場合には（ステップ１のＹＥＳ）、フェーダー位置判定部３１はフェーダーがオンであることを、出力判定部３７に出力する。
【００２３】
次いで、オンエア判定部３２は、オンエア表示灯２から入力されるオンエア信号がオンであるか、つまり番組放送中であるか否かを判定する（ステップ２）。オンエア判定部３２の判定の結果、オンエア表示灯２から入力されるオンエア信号が、オンである場合には（ステップ２のＹＥＳ）、オンエア判定部３２は、オンエア信号がオンであることを、出力判定部３７に出力する。
【００２４】
カフボックス操作判定部３３は、カフボックスの操作部３がオフになっているかを判定する（ステップ３）。カフボックス操作判定部３３の判定の結果、カフボックスの操作部３がオフになっている場合には（ステップ３のＹＥＳ）、カフボックス操作判定部３３は、カフボックスの操作部３がオフであることを、出力判定部３７に出力する。
【００２５】
すなわち、ステップ１、ステップ２、ステップ３のすべてがＹＥＳということは、放送中で、しかも、カフボックスの操作部３によってマイクの音声出力が遮断されている状態であり、操作部３の上げ忘れが生じていることが考えられる。
【００２６】
そして、出力判定部３７は、カフボックスの表示灯４を点滅させるためのアラーム信号を出力するよう、アラーム信号出力部３４にその旨出力する。そして、アラーム信号出力部３４は、アラーム信号をカフボックスの表示灯４に出力し、カフボックスの表示灯４を点滅させ、使用者等にカフボックスの操作部３の上げ忘れの警告を発する（ステップ４）。
【００２７】
一方、フェーダー位置判定部３１の判定の結果、音声調整装置１のフェーダーがオフの状態の場合（ステップ１のＮＯ）、マイクの音声は出力されていないので、前記フェーダー位置判定部３１は、その旨を出力判定部３７に出力する。また、オンエア判定部３２の判定の結果、オンエア表示灯２から入力されるオンエア信号がオフの場合には（ステップ２のＮＯ）、番組放送中ではないので、オンエア判定部３２は、その旨を出力判定部３７に出力する。そして、カフボックス操作判定部３３の判定の結果、カフボックスの操作部３がオンの状態、つまり操作部３が上がっている状態の場合（ステップ３のＮＯ）には、マイクの音声は出力されているので、カフボックス操作判定部３３は、その旨を出力判定部３７に出力する。
【００２８】
これらの３つのステップのいずれかがＮＯの場合は、上述のようにカフボックス操作部の表示灯４は点滅させる必要はない。そこで、出力判定部３７は、カフボックスの表示灯４が点滅しているか、すなわちアラーム信号出力部３４からカフボックスの表示灯４にアラーム信号が出力されているか判定する（ステップ５）。
【００２９】
そして、出力判定部３７の判定の結果、アラーム信号出力部３４からカフボックスの表示灯４にアラーム信号が出力され、カフボックスの表示灯４が点滅している場合には（ステップ５のＹＥＳ）、出力判定部３７は、アラーム信号出力部３４がカフボックスの表示灯４に出力するアラーム信号オフにする旨出力し、カフボックスの表示灯４の点滅を中止する（ステップ６）。
【００３０】
なお、上述のステップ５では、出力判定部３７は、カフボックスの表示灯４が点滅しているか、すなわちアラーム信号出力部３４からカフボックスの表示灯４へのアラーム信号が出力されているか否か判定したが、ステップ１、ステップ２、ステップ３の３つのステップのいずれかがＮＯの場合に、出力判定部３７は、アラーム信号出力部３４からカフボックスの表示灯４へのアラーム信号出力を強制的に停止する構成としてもよい。
【００３１】
一方、出力判定部３７が判定した結果、アラーム信号出力部３４からカフボックスの表示灯４にアラーム信号が出力されていない場合、つまりカフボックスの表示灯４が点滅していない場合には（ステップ５のＮＯ）、上記ステップ１〜ステップ６までの処理を繰り返す。
【００３２】
なお、本実施形態においては、使用者等の手元にあるカフボックスの表示灯４を点滅させたが、音声調整装置１に表示灯を設け、その音声調整装置１の表示灯を点滅させる態様も当然含まれる。
【００３３】
［１−３．効果］
以上のような本実施形態によれば、放送中の番組であってカフボックスの操作部３がオフの場合に限定して、カフボックスの表示灯４を点滅させることが可能となる。このため、必要なときだけカフボックスの使用者等に警告を行うことが可能となる。更に、カフボックスの表示灯４を点滅させることによって、視覚的にカフボックスの使用者等に警告を行うことができ、マイクからの音声出力が遮断されることによる放送事故の防止と原因の調査に関する音響担当者の負担を軽減することもできる。
【００３４】
［２．第２実施形態］
［２−１.構成］
第１実施形態においては、カフボックスの表示灯４を点滅させて、使用者等にカフボックスの操作部の上げ忘れを警告したが、第２実施形態は、警告音を用いて使用者等にカフボックスの操作部３の上げ忘れを警告する場合の技術に関するものである。
【００３５】
この第２実施形態では、図３のブロック図に示すように、送り返し音声出力装置５、発振器６、イヤホン７、送り返し音声受信部３５、音声合成部３６が設けられている。送り返し音声出力装置５は、使用者等への送り返し音声（使用者等がイヤホンを通じて確認している放送中の番組の音声）を出力するものである。なお、送り返し音声出力装置５への送り返し音声は、音声調整装置１の制御により行われており、使用者等へのイヤホン７を通じての送り返し音声の出力は常時行われている。発振器６は、アラーム音声を音声合成部３６に出力するものである。イヤホン７は、使用者等が放送中の番組の音声を確認するために耳にはめているものである。
【００３６】
送り返し音声受信部３５は、送り返し音声出力装置５から使用者等への送り返し音声（使用者等がイヤホンを通じて確認している放送中の番組の音声）を受信して、音声合成部３６に出力するものである。音声合成部３６は、送り返し音声出力装置５から送り返し音声受信部３５が受信した送り返し音声と、発振器６が発振したアラーム音声を組み合わせ、使用者等が耳にはめているイヤホン６に音声出力するものである。
【００３７】
［２−２．作用］
第２実施形態における処理の流れを図４のフローチャートを用いて説明する。まず、フェーダー位置判定部３１が、音声調整装置１のフェーダーがオンであるか判定する（ステップ１）。フェーダー位置判定部３１の判定の結果、音声調整装置１のフェーダーがオンである場合には（ステップ１のＹＥＳ）、フェーダー位置判定部３１はフェーダーがオンであることを、出力判定部３７に出力する。
【００３８】
次いで、オンエア判定部３２は、オンエア表示灯２から入力されるオンエア信号がオンであるか、つまり番組放送中であるか否かを判定する（ステップ２）。オンエア判定部３２の判定の結果、オンエア信号がオンの場合には（ステップ２のＹＥＳ）、オンエア判定部３２はオンエア信号がオンであることを、出力判定部３７に出力する。
【００３９】
カフボックス操作判定部３３は、カフボックスの操作部３がオフになっているかを判定する（ステップ３）。カフボックス操作判定部３３の判定の結果、カフボックスの操作部３がオフになっている場合には（ステップ３のＹＥＳ）、カフボックス操作判定部３３は、カフボックスの操作部３がオフであることを、出力判定部３７に出力する。
【００４０】
すなわち、ステップ１、ステップ２、ステップ３のすべてがＹＥＳということは、放送中で、しかも、カフボックスの操作部３によってマイクの音声出力が遮断されている状態であり、操作部３の上げ忘れが生じていることが考えられる。
【００４１】
そこで、出力判定部３７は、アラーム信号出力部３４に、アラーム信号を出力するよう、その旨出力する。そして、アラーム信号出力部３４は、アラーム信号を発振器６に出力し（ステップ４）、発振器６はアラーム音声を音声合成部３６に出力する（ステップ５）
【００４２】
そして、音声合成部３６は送り返し音声受信部３５から受信した送り返し音声と、発振器６から受信したアラーム音声を組み合わせ（ステップ６）、１つの音声信号としてイヤホン７に出力する（ステップ７）。
【００４３】
一方、フェーダー位置判定部３１の判定の結果、音声調整装置１のフェーダーがオフの状態の場合（ステップ１のＮＯ）、マイクの音声は出力されていないので、前記フェーダー位置判定部３１は、その旨を出力判定部３７に出力する。また、オンエア判定部３２の判定の結果、オンエア表示灯２から入力されるオンエア信号がオフの場合には（ステップ２のＮＯ）、番組放送中ではないので、オンエア判定部３２は、その旨を出力判定部３７に出力する。そして、カフボックス操作判定部３３の判定の結果、カフボックスの操作部３がオンの状態、つまりカフボックスの操作部３が上がっている状態の場合（ステップ３のＮＯ）には、カフボックス操作部３３は、その旨を出力判定部３７に出力する。
【００４４】
上述の３つのステップのいずれかがＮＯの場合は、アラーム音声を出力させる必要はない。そこで、出力判定部３７は、アラーム信号出力手段３４が発振器６にアラーム信号を出力しているか判定する（ステップ５）。
【００４５】
出力判定部３７において、アラーム信号出力部３４が、アラーム信号を発信器６に出力していると判定された場合には（ステップ８のＹＥＳ）、出力判定部３７は、アラーム信号出力部３４が発振器６に出力するアラーム信号を停止する旨出力し、アラーム信号出力部３４は、アラーム信号を発振器６に出力することを停止する。なお、上述のステップ８では、出力判定部３７は、アラーム信号出力部３４から発振器６へアラーム信号が出力されているか否か判定したが、ステップ１、ステップ２、ステップ３の３つのステップのいずれかがＮＯの場合に、出力判定部３７は、アラーム信号出力部３４から発振器６へのアラーム信号出力を強制的に停止する構成としてもよい。
【００４６】
そして、発振器６は、音声合成部３６に出力するアラーム音声の出力を停止する（ステップ９）。そして、以降は上記ステップ１からステップ９までの処理を繰り返す。一方、出力判定部３７において、アラーム信号出力部３４がアラーム信号を発振器６に出力していないと判定された場合には（ステップ８のＮＯ）、以降は上記ステップ１からステップ９までの処理を繰り返す。
【００４７】
［２−３．効果］
以上のような第２実施形態によれば、第１実施形態と同様に、放送中の番組の場合に限定して、警告を行うことが可能となる。更に、送り返し音声出力装置５からの送り返し音声に発振器６からのアラーム音を組み合わせることによって、聴覚的に使用者等にカフボックスの操作部がオフであることの注意を促すことができるため、使用者等のカフボックスの操作部の上げ忘れに容易に気づくことができ、カフボックスの操作部の上げ忘れを防止できる。
【００４８】
［３．その他の実施形態］
本発明は、前記各実施形態に加えて、次のような他の実施形態も包含するものである。
【００４９】
第１実施形態では、カフボックスの表示器を点滅させ、第２実施形態では、送り返し音声出力装置からの使用者等への送り返し音声にアラーム音を組み合わせ、使用者等に出力しているが、両実施態様を組み合わせることも当然可能である。また、音声の内容や、点灯の仕方も適宜変更可能である。
【図面の簡単な説明】
【００５０】
【図１】本発明の第１実施形態の構成を示す機能ブロック図。
【図２】本発明の第１実施形態における処理を示すフローチャート。
【図３】本発明の第２実施形態の構成を示す機能ブロック図。
【図４】本発明の第２実施形態における処理を示すフローチャート。
【符号の説明】
【００５１】
１…音声調整装置
２…オンエア表示灯
３…カフボックスの操作部
４…カフボックスの表示器
５…送り返し音声出力装置
６…発振器
７…イヤホン
３１…フェーダー位置判定部
３２…オンエア判定部
３３…カフボックス操作判定部
３４…アラーム信号出力部
３５…送り返し音声受信部
３６…音声合成部
３７…出力判定部
【図１】
2010011377.tif 000003
【図２】
2010011377.tif 000004
【図３】
2010011377.tif 000005
【図４】
2010011377.tif 000006